(57)【特許請求の範囲】
【請求項１】
画像情報に基づく画像を表示する表示手段と、
前記表示手段により前記画像を表示する表示領域に重ねられて設けられるとともに、前記表示領域以外の専用領域に設けられたタッチパネルと、
物体の位置を示す座標に基づいて、前記専用領域のいずれかに物体が接触した後、予め設定された所定の時間が経過するまでの間、物体の位置が接触開始時の位置から所定の範囲内にあるか否かを判定する判定手段と、
前記判定手段により予め設定された所定の時間が経過するまでの間に、物体の位置が接触開始時の位置から所定の範囲外にあると判定された場合、前記表示手段により表示される表示画面のスクロールをスクロール量に関する第１のモードで実行し、前記判定手段により予め設定された所定の時間の経過後に、物体の位置が接触開始時の位置から所定の範囲外にあると判定された場合、前記表示手段により表示される表示画面のスクロールを前記第１のモードと異なる第２のモードで実行するスクロール実行手段とを備えることを特徴とする情報処理装置。
【請求項２】
前記専用領域に設けられた前記タッチパネルには、前記専用領域に設けられた前記タッチパネルに接触する物体の位置を示す座標に基づいて複数の区画が予め割り当てられており、
前記判定手段は、物体の位置を示す座標に基づいて、前記タッチパネルのいずれかの区画に物体が接触した後、予め設定された所定の時間が経過するまでの間、物体の位置が接触開始時における区画と同一の区画にあるか否かを判定することで、物体の位置が接触開始時の位置から所定の範囲内にあるか否かを判定することを特徴とする請求項１に記載の情報処理装置。
【請求項３】
前記第１のモードとは、スクロールする際に用いられるスクロール量が、前記表示手段により表示されるスクロールバーを用いた表示画面のスクロール量とほぼ同一となるモードであり、前記第２のモードとは、スクロールする際に用いられるスクロール量が、前記専用領域における物体の移動量とほぼ同一となるモードであることを特徴とする請求項１に記載の情報処理装置。
【請求項４】
前記第１のモードでのスクロールする際のスクロール速度と、前記第２のモードでのスクロールする際のスクロール速度とは異なる速度であることを特徴とする請求項１に記載の情報処理装置。
【請求項５】
前記スクロール実行手段は、物体の位置が接触開始時の位置から前記所定の範囲外に移動した場合、前記第１のモードまたは前記第２のモードに応じて、前記表示手段により表示される表示画面のスクロールを実行することを特徴とする請求項３または４に記載の情報処理装置。
【請求項６】
前記スクロール実行手段は、前記専用領域に設けられた前記タッチパネルのいずれかに物体が接触した後、物体が前記タッチパネルから離れた場合、前記表示手段により表示される表示画面のスクロールの実行を終了することを特徴とする請求項３または４に記載の情報処理装置。
【請求項７】
画像情報に基づく画像を表示する表示手段と、
前記表示手段により前記画像を表示する表示領域に重ねられて設けられるとともに、前記表示領域以外の専用領域に設けられたタッチパネルと、
前記専用領域に設けられた前記タッチパネルには、前記専用領域に設けられた前記タッチパネルに接触する物体の位置を示す座標に基づいて複数の区画が予め割り当てられており、物体の位置を示す座標に基づいて、前記タッチパネルのいずれかの区画に物体が接触した後、物体の位置が接触開始時における区画と同一の区画にある間に物体が前記タッチパネルから離れたか、あるいは、物体の位置が接触開始時における区画と同一の区画外に移動した後に物体が前記タッチパネルから離れたか否かを判定する判定手段と、
前記判定手段による判定結果に応じて、物体が接触開始時に接触した区画に予め割り当てられるアプリケーションを起動するアプリケーション起動手段とを備えることを特徴とする情報処理装置。
【請求項８】
前記アプリケーション起動手段は、前記判定手段により、前記タッチパネルのいずれかの区画に物体が接触した後、物体の位置が接触開始時における区画と同一の区画にある間に物体が前記タッチパネルから離れたと判定された場合、物体が接触開始時に接触した区画に予め割り当てられるアプリケーションを第１の起動モードにて起動する一方、前記判定手段により、物体の位置が接触開始時における区画と同一の区画外に移動した後に物体が前記タッチパネルから離れたと判定された場合、物体が接触開始時に接触した区画に予め割り当てられるアプリケーションを第１の起動モードと異なる第２の起動モードにて起動することを特徴とする請求項７に記載の情報処理装置。
【請求項９】
前記タッチパネルのいずれかの区画に物体が接触した後、物体の位置が、接触開始時における区画と同一の区画外に移動した後に、同一の区画内に移動した場合、前記タッチパネル上での物体による操作を無視する無視フラグを第１の状態から前記第１の状態と異なる第２の状態に設定する設定手段をさらに備え、
前記アプリケーション起動手段は、前記判定手段により、物体の位置が接触開始時における区画と同一の区画外に移動した後に物体が前記タッチパネルから離れたと判定された場合、前記設定手段により前記無視フラグが前記第２の状態に設定されているとき、前記第２の起動モードによるアプリケーションの起動を行わないことを特徴とする請求項８に記載の情報処理装置。
【発明の詳細な説明】
【技術分野】
【０００１】
本発明は情報処理装置に係り、特に、タッチ入力によって表示画面をスクロールすることができるようにした情報処理装置に関する。
【背景技術】
【０００２】
近年、ディスプレイと組み合わされたタッチパネルを備えた携帯端末が提案されている。ユーザは、携帯端末に備えられたタッチパネルをスタイラスペンなどのポインティングデバイスによって操作することで、表示画面をスクロールすることができる。
【０００３】
また、タッチパネルを備えた携帯端末において、通常ディスプレイの表示面積とほぼ同じ大きさを有するタッチパネルの占有面積を大きくし、ディスプレイが存在しないタッチパネル専用領域を設けるようにするとともに、そのタッチパネル専用領域にアプリケーションごとに予め割り当てられた区画がポインティングデバイスによって操作されることで、区画に割り当てられたアプリケーションを起動する。
【０００４】
なお、タッチパネルに関する技術として、以下のような技術が知られている（例えば特許文献１参照）。特許文献１に提案されている技術によれば、タッチパネルでタッチ入力があったとき、タッチ入力の位置がゲームマップに対応する位置に変換され、変換されたタッチ入力に対応するゲームマップの位置において、アイテムが追加的に配置されたり、地形配置が変更されたりして、ゲームマップが変更される。これにより、所定の場所を固定的に表示するサブ画面へ直接触れるような操作によってゲームマップを変更することができ、今までにない操作を取り入れた新しい競争ゲームを提供でき、しかも所望の位置に正確にかつ簡単に変化を与えることができる。
【特許文献１】特開２００５−２３７６４８号公報
【発明の開示】
【発明が解決しようとする課題】
【０００５】
タッチパネルを備えた携帯端末においては、スタイラスペンなどのポインティングデバイスを用いて表示画面上に表示されているスクロールバーを操作することで、表示画面をスクロールする。しかしながら、スクロールバーは一般的に細く、ユーザにとって操作し難く、操作に応じてスクロール量を加減することができないという課題があった。また、タッチパネルを備えた携帯端末において、ポインティングデバイスによってタッチパネル専用領域の区画を操作することで、区画に割り当てられたアプリケーションを起動することができるが、アプリケーションの起動の仕方は一様であり、起動時に変化をつけることができないという課題があった。
【０００６】
本発明は、このような状況に鑑みてなされたものであり、タッチパネルの操作時における操作性を好適に向上させることができる情報処理装置を提供することを目的とする。
【課題を解決するための手段】
【０００７】
本発明の情報処理装置は、上述した課題を解決するために、画画像情報に基づく画像を表示する表示手段と、前記表示手段により前記画像を表示する表示領域に重ねられて設けられるとともに、前記表示領域以外の専用領域に設けられたタッチパネルと、物体の位置を示す座標に基づいて、前記専用領域のいずれかに物体が接触した後、予め設定された所定の時間が経過するまでの間、物体の位置が接触開始時の位置から所定の範囲内にあるか否かを判定する判定手段と、前記判定手段により予め設定された所定の時間が経過するまでの間に、物体の位置が接触開始時の位置から所定の範囲外にあると判定された場合、前記表示手段により表示される表示画面のスクロールをスクロール量に関する第１のモードで実行し、前記判定手段により予め設定された所定の時間の経過後に、物体の位置が接触開始時の位置から所定の範囲外にあると判定された場合、前記表示手段により表示される表示画面のスクロールを前記第１のモードと異なる第２のモードで実行するスクロール実行手段とを備えることを特徴とする。
【０００８】
本発明の情報処理装置は、上述した課題を解決するために、画像情報に基づく画像を表示する表示手段と、表示手段により画像を表示する表示領域に重ねられて設けられるとともに、表示領域以外の専用領域に設けられたタッチパネルと、専用領域に設けられたタッチパネルには、専用領域に設けられたタッチパネルに接触する物体の位置を示す座標に基づいて複数の区画が予め割り当てられており、物体の位置を示す座標に基づいて、タッチパネルのいずれかの区画に物体が接触した後、物体の位置が接触開始時における区画と同一の区画にある間に物体がタッチパネルから離れたか、あるいは、物体の位置が接触開始時における区画と同一の区画外に移動した後に物体がタッチパネルから離れたか否かを判定する判定手段と、判定手段による判定結果に応じて、物体が接触開始時に接触した区画に予め割り当てられるアプリケーションを起動するアプリケーション起動手段とを備えることを特徴とする。
【発明の効果】
【０００９】
本発明によれば、タッチパネルの操作時における操作性を好適に向上させることができる。
【発明を実施するための最良の形態】
【００１０】
以下、本発明の実施の形態について、図面を参照しながら説明する。
【００１１】
図１は、本発明に係る情報処理装置に適用可能な携帯端末１の外観の構成を表している。なお、図１（Ａ）は、携帯端末１を約１８０度に見開いたときの正面から見た外観の構成を表しており、図１（Ｂ）は、携帯端末１を閉じたときの外観の構成を表している。
【００１２】
図１に示されるように、携帯端末１は、中央のヒンジ部１１を境に第１の筐体１２と第２の筐体１３とがヒンジ結合されており、ヒンジ部１１を介して矢印Ｘ方向に折り畳み可能に形成される。携帯端末１の内部の所定の位置には、送受信用のアンテナ（後述する図３のアンテナ３１）が設けられており、内蔵されたアンテナを介して基地局（図示せず）との間で電波を送受信する。
【００１３】
第１の筐体１２には、その表面に「０」乃至「９」の数字キー、発呼キー、リダイヤルキー、終話・電源キー、クリアキー、および電子メールキーなどのメイン操作キー１４が設けられており、メイン操作キー１４を用いて各種指示を入力することができる。
【００１４】
また、第１の筐体１２には、図示せぬマイクロフォンが設けられており、マイクロフォンによって通話時のユーザの音声を集音する。なお、第１の筐体１２は、背面側に図示しないバッテリパックが挿着されており、終話・電源キーがオン状態になると、バッテリパックから各回路部に対して電力が供給されて動作可能な状態に起動する。
【００１５】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（図３のＣＣＤカメラ）で撮像した画像、外部のコンテンツサーバ（図示せず）より受信したコンテンツ、メモリカード（後述する図３のメモリカード４６）に記憶されているコンテンツを表示することができる。なお、メインディスプレイ１７は、例えば有機ＥＬにより構成されるディスプレイでもよいし、液晶ディスプレイ（Liquid Crystal Display）でもよい。
【００１６】
メインディスプレイ１７には、タッチパネル２２が重ねて貼り合わされている。このタッチパネル２２は、メインディスプレイ１７の表示領域を超えた左右の部分にも設けられており、タッチパネル専用領域ＡおよびＢがメインディスプレイ１７に近接して形成されている。
【００１７】
図２は、メインディスプレイ１７およびタッチパネル専用領域ＡおよびＢの拡大図を示している。タッチパネル専用領域ＡおよびＢには、ポインティングデバイスであるスタイラスペン２３がペンダウンしたときの座標に応じて複数の区画（区画Ａ乃至Ｈ）が予め設けられている。複数の区画のうち、一部または全部の区画には、それぞれ異なるアプリケーション（メールに関するアプリケーションや、ブラウザに関するアプリケーションなど）が予め割り当てられており、アプリケーションが割り当てられた区画がスタイラスペン２３によって操作されることで、区画に割り当てられたアプリケーションが起動される。
【００１８】
なお、メインディスプレイ１７の最も右側には、通常のスクロールバーが設けられている。ユーザは、ポインティングデバイスであるスタイラスペン２３を用いてスクロールバーを操作することで、メインディスプレイ１７に表示される表示画面をスクロールすることができる。但し、スクロールバーを用いて表示画面をスクロールする場合、スクロールする際に用いられるスクロール量は所定の値に定められている。
【００１９】
また、第１の筐体１２と第２の筐体１３の内部の所定の位置には、携帯端末１の状態を検知するための磁気センサ１９ａおよび１９ｂが設けられる。
【００２０】
さらに、第２の筐体１３の所定の位置にはレシーバ（受話器）１８が設けられており、これにより、ユーザは音声通話することが可能である。なお、携帯端末１の所定の位置には、レシーバ１８以外の音声出力部としてのスピーカ（図３のスピーカ５０）も設けられている。また、レシーバ１８の上部には、サブディスプレイ２１が設けられており、現在のアンテナの感度のレベルを示すアンテナピクト、携帯端末１の現在の電池残量を示す電池ピクト、現在の時刻などが表示される。サブディスプレイ２１の上部には、サブ操作キー１６も設けられている。
【００２１】
図３は、本発明に係る情報処理装置に適用可能な携帯端末１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２２】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２３】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２４】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２５】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２６】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としてのメイン操作キー１４の操作に応じて、記憶部４２に記憶されているこの電子メールを読み出し、読み出された電子メールをメインディスプレイ１７に表示させる。
【００２７】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２８】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２９】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３０】
また、携帯端末１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯端末１には、現在の正確な現在の時刻を測定する時計回路（タイマ）４７が設けられている。
【００３１】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯端末１を統括的に制御する。ＲＡＭは、ＣＰＵが各種の処理を実行する上において必要なデータなどを適宜記憶する。なお、制御部４１には、必要に応じて１または複数のＣＰＵが備えられる。
【００３２】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３３】
電源回路４４は、バッテリ４３の出力を基に所定の動作電源電圧Ｖｃｃを生成して各回路部に供給する。また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３４】
また、携帯端末１においては、タッチパネル２２による入力を行うことができる。タッチ入力制御部５１は、ユーザによりスタイラスペン２３を用いたタッチ入力がタッチパネル２２上で行われると、タッチ入力が行われた座標（Ｘ軸とＹ軸の２軸により表される座標）を検出し、座標検出信号を制御部４１に出力する。この座標検出信号には、Ｘ軸とＹ軸の２軸により表される座標値が含まれている。
【００３５】
従来、メインディスプレイ１７に表示されるスクロールバーは一般的に細く、ユーザにとって操作し難く、操作に応じてスクロール量を加減することができなかった。そこで、本発明においては、タッチパネル専用領域ＡやＢに対するタッチ入力も、スクロールバーにおける操作と同様にみなし、タッチパネル２２のうち、表示部としてのメインディスプレイ１７と重なっていないタッチパネル専用領域ＡまたはＢにおけるタッチ入力の仕方に応じて、メインディスプレイ１７に表示される表示画面をスクロールするようにする。これにより、タッチパネル２２の操作時における操作性を好適に向上させることが可能となる。以下、この方法を用いたスクロール制御処理について説明する。
【００３６】
図４のフローチャートを参照して、図３の携帯端末１におけるスクロール制御処理について説明する。なお、このスクロール制御処理においては、ユーザがスタイラスペン２３を操作することで、例えばタッチパネル専用領域Ｂのいずれかの区画にペンダウンして表示画面をスクロールする場合を想定する。勿論、タッチパネル専用領域Ａの区画にペンダウンして表示画面をスクロールする場合に本発明を適用するようにしてもよい。
【００３７】
ステップＳ１において、制御部４１は、まず、メインディスプレイ１７に表示される表示画面をスクロールする際に用いられるスクロール量に関するモードをモード１に設定（初期設定）する。「モード１」とは、スクロールする際に用いられるスクロール量がメインディスプレイ１７に表示されるスクロールバーを用いた表示画面のスクロール量となるモードである。これにより、スクロール量に関するモードが「モード１」に設定されている場合にスクロールが実行されると、スクロールバーを用いた表示画面のスクロール量でメインディスプレイ１７に表示される表示画面がスクロールされる。なお、スクロール量モードに関する設定データは、制御部４１のＲＡＭまたは記憶部４２に記憶される。
【００３８】
次に、ステップＳ２において、制御部４１は、タッチパネル専用領域Ｂに設けられたいずれかの区画（例えば区画Ａなど）を越境したか否かを示す越境履歴を「無し」に設定する。この越境履歴に関する設定データ（越境履歴「無し」に関する設定データ）は、制御部４１のＲＡＭまたは記憶部４２に記憶される。
【００３９】
ステップＳ３において、制御部４１は、タッチ入力制御部５１からの座標検出信号に基づいて、ユーザによりポインティングデバイスとしてのスタイラスペン２３が操作されることで、スタイラスペン２３がタッチパネル専用領域Ｂのいずれかの区画にペンダウンされ、スタイラスペン２３によるタッチ入力があるか否かを判定する。例えばユーザによりポインティングデバイスとしてのスタイラスペン２３が操作されずに、スタイラスペン２３がタッチパネル専用領域Ｂのいずれの区画にもペンダウンされていない場合、スタイラスペン２３によるタッチ入力はないと判定される。一方、図５に示されるように、表示画面のスクロール時にまず、例えばタッチパネル専用領域Ｂの区画Ａ内の位置α（ｘ１、ｙ１）にスタイラスペン２３がペンダウンされると、スタイラスペン２３によるタッチ入力があると判定される。なお、制御部４１は、スタイラスペン２３がタッチパネル専用領域Ｂのいずれかの区画にペンダウンされた場合、タッチ入力制御部５１からの座標検出信号に基づいて、ペンダウンした区画が認識される。例えば図５の場合、例えばタッチパネル専用領域Ｂの区画Ａ内の位置α（ｘ１、ｙ１）にスタイラスペン２３がペンダウンされると、ペンダウンした区画が区画Ａであると認識される。
【００４０】
なお、タッチパネル２２への入力はスタイラスペン２３によって行うようにしてもよいし、ユーザの指などを用いて行うようにしてもよい。
【００４１】
ステップＳ３において制御部４１が、スタイラスペン２３によるタッチ入力はないと判定した場合、処理はステップＳ１に戻り、ステップＳ１以降の処理が繰り返し実行される。一方、ステップＳ３において制御部４１が、スタイラスペン２３によるタッチ入力があると判定した場合、制御部４１はステップＳ４で、越境履歴が「有り」に設定されているか否かを判定する。ここで、表示画面のスクロール時には、タッチパネル専用領域Ｂに設けられたいずれかの区画（例えば区画Ａなど）も越境していないために越境履歴は「無し」に設定されていることから、越境履歴が「有り」に設定されていないと判定される。一方、表示画面のスクロールが開始された後、タッチパネル専用領域Ｂに設けられたいずれかの区画を越境した場合には、後述するステップＳ９の処理にて越境履歴が「有り」に設定されることから、越境履歴が「有り」に設定されていると判定される。
【００４２】
ステップＳ４において制御部４１が、越境履歴が「有り」に設定されていないと判定された場合、制御部４１はステップＳ５で、ペンダウンした区画と同一の区画であるか否かを判定する。
【００４３】
例えば図５に示されるように、タッチパネル専用領域Ｂの区画Ａ内の位置α（ｘ１、ｙ１）にスタイラスペン２３がペンダウンされた後、ユーザによりスタイラスペン２３が下方に移動されることで、スタイラスペン２３の位置が位置α（ｘ１、ｙ１）から位置β（ｘ２、ｙ２）に移動したとする。この場合、スタイラスペン２３の位置は依然としてペンダウンした区画（区画Ａ）と同一の区画であることから、ペンダウンした区画と同一の区画であると判定される。一方、ユーザによりスタイラスペン２３が下方に移動されることで、スタイラスペン２３の位置が位置α（ｘ１、ｙ１）から位置β（ｘ２、ｙ２）を経由して位置δ（ｘ４、ｙ４）に移動したとする。この場合には、スタイラスペン２３の位置は現在区画Ａ内には存在せず、ペンダウンした区画（区画Ａ）と同一の区画ではないことから、ペンダウンした区画と同一の区画ではないと判定される。
【００４４】
ステップＳ５において制御部４１が、ペンダウンした区画と同一の区画であると判定した場合、制御部４１はステップＳ６で、時計回路４７を用いて、所定の時間（例えば２、３秒間など）のタイマを設定し、カウントアップを開始する。勿論、時計回路４７のようなハードタイマではなく、ソフトタイマを用いるようにしてもよい。
【００４５】
ステップＳ７において、制御部４１は、予め設定された所定の時間（例えば２、３秒間など）が経過したか否かを判定する。ステップＳ７において制御部４１が、予め設定された所定の時間が経過していないと判定した場合、処理はステップＳ３に戻り、ステップＳ３以降の処理が実行される。
【００４６】
その後、ステップＳ５においてペンダウンした区画と同一の区画ではないと判定されない限り、予め設定された所定の時間が経過するまで、ステップＳ３→ステップＳ４→ステップＳ５→ステップＳ６→ステップＳ７→ステップＳ３…の一連の処理が繰り返し実行される。そして、例えば図５に示されるように、スタイラスペン２３の位置が同一区画Ａ内の位置α（ｘ１、ｙ１）から位置γ（ｘ３、ｙ３）まで移動する間に予め設定された所定の時間が経過した場合、制御部４１はステップＳ７で、予め設定された所定の時間が経過したと判定する。次に、ステップＳ８において、制御部４１は、メインディスプレイ１７に表示される表示画面をスクロールする際に用いられるスクロール量に関するモードをモード２に設定する。「モード２」とは、スクロールする際に用いられるスクロール量が、タッチパネル専用領域Ｂにおけるスタイラスペン２３の移動量（例えばスタイラスペン２３の移動量に対応する位置α（ｘ１、ｙ１）から位置γ（ｘ３、ｙ３）までの距離）と同一となるモードである。これにより、スクロール量に関するモードが「モード２」に設定されている場合にスクロールが実行されると、タッチパネル専用領域Ｂにおけるスタイラスペン２３の位置の移動量に応じて、メインディスプレイ１７に表示される表示画面がスクロールされる。その後、処理はステップＳ３に戻り、ステップＳ３以降の処理が実行される。
【００４７】
従って、予め設定された所定の時間が経過するまでにステップＳ５にてペンダウンした区画と同一の区画ではないと判定された場合、メインディスプレイ１７に表示される表示画面をスクロールする際に用いられるスクロール量に関するモードはモード２には設定されず、モード１に設定されたまま維持される。
【００４８】
次に、ユーザがスタイラスペン２３をタッチパネル専用領域Ｂ上にて操作することで、スタイラスペン２３の位置が、始めにペンダウンした区画（例えば区画Ａ）を超えた場合（すなわち、スタイラスペン２３の位置が例えば区画Ａ内の位置α（ｘ１、ｙ１）から区画Ａ外の位置δ（ｘ４、ｙ４）に移動した場合）、制御部４１はステップＳ５で、ペンダウンした区画と同一の区画ではないと判定し、始めにペンダウンした区画（例えば区画Ａ）を超えたと認識する。ステップＳ９において、制御部４１は、タッチパネル専用領域Ｂに設けられたいずれかの区画（例えば区画Ａなど）を越境したか否かを示す越境履歴を「有り」に設定する。この越境履歴に関する設定データ（越境履歴「有り」に関する設定データ）は、制御部４１のＲＡＭまたは記憶部４２に記憶される。
【００４９】
ステップＳ１０において、制御部４１は、メインディスプレイ１７を制御し、現在設定されているスクロール量に関するモードに応じた表示画面のスクロールを実行する。
【００５０】
具体的には、例えば図５に示されるようにスタイラスペン２３の位置が同一区画Ａ内の位置α（ｘ１、ｙ１）から位置γ（ｘ３、ｙ３）まで移動する間に予め設定された所定の時間が経過した場合には、メインディスプレイ１７に表示される表示画面をスクロールする際に用いられるスクロール量に関するモードがモード２に設定されることから、タッチパネル専用領域Ｂにおけるスタイラスペン２３の位置の移動量に応じて、メインディスプレイ１７に表示される表示画面のスクロールが実行される。現在のスタイラスペン２３の位置が位置δ（ｘ４、ｙ４）である場合、位置α（ｘ１、ｙ１）から位置δ（ｘ４、ｙ４）までの距離（すなわち、（ｙ４−ｙ１）に応じた表示画面のスクロールが実行される。なお、２点間におけるＹ軸の距離に応じて表示画面のスクロールを実行するようにしてもよい。
【００５１】
一方、メインディスプレイ１７に表示される表示画面をスクロールする際に用いられるスクロール量に関するモードがモード１に設定されたまま維持されている場合、スクロールバーを用いた表示画面のスクロール量でメインディスプレイ１７に表示される表示画面のスクロールが実行される。なお、図５の場合、スクロール量に関するモードがいずれのモードであっても、ユーザによりスタイラスペン２３が下方に移動されていることから、メインディスプレイ１７に表示される表示画面も下方にスクロールされる。従って、例えばユーザによりスタイラスペン２３が上方に移動された場合、メインディスプレイ１７に表示される表示画面は所定のスクロール量に応じて上方にスクロールされる。
【００５２】
その後、処理はステップＳ３に戻り、ステップＳ３においてスタイラスペン２３によるタッチ入力があるか否か、換言すれば、スタイラスペン２３がタッチパネル専用領域Ｂから離れたか否かが判定される。そして、スタイラスペン２３によるタッチ入力がある場合、ステップＳ４において越境履歴が「有り」に設定されているか否かが判定されるが、このとき、ステップＳ９において越境履歴が「有り」に設定されていることから、越境履歴が「有り」に設定されていると判定される。そして、ステップＳ１１において、制御部４１は、メインディスプレイ１７を制御し、現在設定されているスクロール量に関するモード（モード１またはモード２）に応じた表示画面のスクロールを実行する。その後、処理はステップＳ３に進み、スタイラスペン２３がタッチパネル専用領域Ｂから離れるまで、ステップＳ３→ステップＳ４→ステップＳ１１→ステップＳ３…の一連の処理が繰り返し実行され、現在設定されているスクロール量に関するモード（モード１またはモード２）に応じた表示画面のスクロールが実行される。
【００５３】
なお、ステップＳ３において制御部４１が、スタイラスペン２３によるタッチ入力はないと判定した場合、処理はステップＳ１に戻り、表示画面のスクロールは終了する。
【００５４】
本発明の実施形態においては、メインディスプレイ１７は画像情報に基づく画像を表示し、画像を表示する表示領域に重ねられて設けられるとともに、表示領域以外の専用領域に設けられたタッチパネル２２と、専用領域に設けられたタッチパネル２２には、専用領域に設けられたタッチパネルに接触する物体（例えばスタイラスペン２３やユーザの指など）の位置を示す座標に基づいて複数の区画が予め割り当てられており、物体の位置を示す座標に基づいて、タッチパネル２２のいずれかの区画に物体が接触した後、予め設定された所定の時間が経過するまでの間、物体の位置が接触開始時における区画と同一の区画にあるか否かを判定し、表示される表示画面をスクロールする際に用いられるスクロール量に関するモードを第１のモード（モード１）に設定する一方、予め設定された所定の時間が経過するまでの間、物体の位置が接触開始時における区画と同一の区画にあると判定された場合、スクロール量に関するモードを第１のモードと異なる第２のモード（モード２）に設定し、設定された第１のモードまたは第２のモードに応じて、表示される表示画面のスクロールを実行することができる。
【００５５】
これにより、一般的に細いスクロールバー以外のタッチパネル専用領域ＡまたはＢを用いて、操作に応じてスクロール量を加減することができ、タッチパネル２２の操作時における操作性を好適に向上させることができる。
【００５６】
なお、本発明の実施形態においては、予め設定された所定の時間が経過するまでの間、スタイラスペン２３などの物体の位置が接触開始時における区画と同一の区画にあるか否かを判定するようにしたが、タッチパネル２２のいずれかに物体が接触した後、予め設定された所定の時間が経過するまでの間、物体の位置が接触開始時の位置から所定の範囲内にあるか否かを判定するようにしてもよい。ここで、「所定の範囲内」とは、ユーザにとってはスタイラスペン２３などをほとんど動かしていないと認識する範囲であり、ユーザとしてはスタイラスペン２３のペン先をほとんど動かしていないにも拘らず、タッチパネル２２の特性上、生じてしまう座標値の変動の範囲の中をいう。また、「所定の範囲内」とは、スタイラスペン２３のペン先が接触した位置から例えば半径１ｃｍの範囲内でもよく、ユーザがその範囲を任意に指定するようにしてもよい。
【００５７】
なお、図４のフローチャートを用いて説明したスクロール制御処理においては、初期設定としてスクロール量モードを「モード１」に設定しておき、その後、予め設定された所定の時間が経過するまでの間、スタイラスペンなどの物体の位置が接触開始時における区画と同一の区画にあると判定された場合、スクロール量モードを「モード２」に設定するようにした、このような場合に限られず、初期設定としてスクロール量モードを「モード２」に設定しておき、その後、スクロール量モードを「モード１」に変更するようにしてもよい。勿論、ユーザの好みに応じて初期設定のスクロール量モードを適宜変更するようにしてもよい。また、「モード１」と「モード２」との間で、スクロール量を異なる量に設定するようにしたが、このような場合に限られず、例えば両者の間で、スクロールする際のスクロール速度を異なる速度に設定するようにしてもよい。すなわち、例えば「モード１」の場合、「モード２」に比べて、スクロール速度が速くまたは遅くなるようにしてもよい。
【００５８】
ところで、従来においては、タッチパネル２２を備えた携帯端末１において、ポインティングデバイスであるスタイラスペン２３によってタッチパネル専用領域ＡまたはＢの区画を操作することで、区画に割り当てられたアプリケーションを起動することができるが、アプリケーションの起動の仕方は一様であり、起動時に変化をつけることができなかった。そこで、本発明においては、タッチパネル２２のうち、表示部としてのメインディスプレイ１７と重なっていないタッチパネル専用領域ＡまたはＢにおけるタッチ入力の仕方に応じて、アプリケーションの起動の仕方を変えるようにする。これにより、タッチパネル２２の操作時における操作性を好適に向上させることが可能となる。以下、この方法を用いたアプリケーション起動処理について説明する。
【００５９】
図６のフローチャートを参照して、図３の携帯端末１におけるアプリケーション起動処理について説明する。なお、このアプリケーション起動処理においては、ユーザがスタイラスペン２３を操作することで、例えばタッチパネル専用領域ＡまたはＢの所望の区画（例えば区画Ａ）にペンダウンしてその区画（例えば区画Ａ）に割り当てられたアプリケーション（例えばメールに関するアプリケーションなど）を起動する場合を想定する。
【００６０】
ステップＳ２１において、制御部４１は、まず、タッチパネル専用領域Ｂに設けられたいずれかの区画（例えば区画Ａなど）を越境したか否かを示す越境履歴を「無し」に設定（初期設定）する。この越境履歴に関する設定データ（越境履歴「無し」に関する設定データ）は、制御部４１のＲＡＭまたは記憶部４２に記憶される。次に、ステップＳ２２において、タッチパネル専用領域Ｂに設けられたいずれかの区画に対して行われる前回のスタイラスペン２３によるタッチを「無し」に設定（初期設定）する。このタッチに関する設定データ（スタイラスペン２３によるタッチ「無し」に関する設定データ）は、制御部４１のＲＡＭまたは記憶部４２に記憶される。ステップＳ２３において、制御部４１は、スタイラスペン２３による操作を無視（有効）するか否かを示すスタイラスペン操作無視フラグを「ＯＦＦ」に設定する。スタイラスペン操作無視フラグが「ＯＦＦ」に設定されている場合、スタイラスペン操作が無視されずに有効なものとして認識される。
【００６１】
ステップＳ２４において、制御部４１は、タッチ入力制御部５１からの座標検出信号に基づいて、ユーザによりポインティングデバイスとしてのスタイラスペン２３が操作されることで、スタイラスペン２３がタッチパネル専用領域Ｂのいずれかの区画にペンダウンされ、スタイラスペン２３によるタッチ入力があるか否かを判定する。例えばユーザによりポインティングデバイスとしてのスタイラスペン２３が操作されずに、スタイラスペン２３がタッチパネル専用領域Ｂのいずれの区画にもペンダウンされていない場合、スタイラスペン２３によるタッチ入力はないと判定される。一方、図７に示されるように、例えば区画Ａに割り当てられたアプリケーションの起動時にまず、例えばタッチパネル専用領域Ｂの区画Ａ内の位置α（ｘ１、ｙ１）にスタイラスペン２３がペンダウンされると、スタイラスペン２３によるタッチ入力があると判定される。
【００６２】
ステップＳ２４において制御部４１が、スタイラスペン２３によるタッチ入力があると判定した場合、制御部４１はステップＳ２５で、タッチパネル専用領域Ｂに設けられたいずれかの区画に対して行われる前回のスタイラスペン２３によるタッチを「有り」に設定する。ステップＳ２６において、制御部４１は、ペンダウンした区画と同一の区画であるか否かを判定する。なお、この判定処理における具体的な判定方法は、図４のステップＳ５における判定方法と同様であり、その説明は繰り返しになるので省略する。
【００６３】
ステップＳ２６において制御部４１が、ペンダウンした区画と同一の区画ではないと判定した場合、制御部４１はステップＳ２７で、タッチパネル専用領域Ｂに設けられたいずれかの区画（例えば区画Ａなど）を越境したか否かを示す越境履歴を「有り」に設定する。
【００６４】
例えば図７に示されるように、ユーザによりスタイラスペン２３が下方に移動されることで、スタイラスペン２３の位置が位置α（ｘ１、ｙ１）から位置β（ｘ２、ｙ２）を経由して位置δ（ｘ４、ｙ４）に移動したとする。この場合には、スタイラスペン２３の位置は現在区画Ａ内には存在せず、ペンダウンした区画（区画Ａ）と同一の区画ではないことから、ペンダウンした区画と同一の区画ではないと判定され、越境履歴が「有り」に設定される。その後、処理はステップＳ２４に戻る。
【００６５】
一方、ステップＳ２６において制御部４１が、ペンダウンした区画と同一の区画であると判定した場合、制御部４１はステップＳ２８で、タッチパネル専用領域Ｂに設けられたいずれかの区画を越境したか否かを示す越境履歴が「有り」に設定されているか否かを判定する。これにより、例えば図７に示されるように、ユーザによりスタイラスペン２３が下方に移動されることで、スタイラスペン２３の位置が位置α（ｘ１、ｙ１）から位置β（ｘ２、ｙ２）を経由して位置δ（ｘ４、ｙ４）に移動した後、スタイラスペン２３がタッチパネル専用領域Ｂから離れることなく、区画Ａ内の位置δ（ｘ４、ｙ４）に移動したか否かを判定することができる。
【００６６】
ステップＳ２８において制御部４１が、タッチパネル専用領域Ｂに設けられたいずれかの区画を越境したか否かを示す越境履歴が「有り」に設定されていると判定した場合、制御部４１はステップＳ２９で、ユーザが区画Ａに割り当てられたアプリケーションの起動をキャンセルしようとしていると認識し、スタイラスペン２３による操作を無視（有効）するか否かを示すスタイラスペン操作無視フラグを「ＯＮ」に設定する。スタイラスペン操作無視フラグが「ＯＮ」に設定されている場合、スタイラスペン操作が無視される。その後、処理はステップＳ２４に戻る。
【００６７】
一方、ステップＳ２８において制御部４１が、タッチパネル専用領域Ｂに設けられたいずれかの区画を越境したか否かを示す越境履歴が「有り」に設定されていないと判定した場合（すなわち、タッチパネル専用領域Ｂに設けられたいずれかの区画を越境したか否かを示す越境履歴が「無し」に設定されていると判定した場合）、処理はステップＳ２４に戻る。
【００６８】
次に、ステップＳ２４において制御部４１が、スタイラスペン２３によるタッチ入力がないと判定した場合（すなわち、スタイラスペン２３がタッチパネル２２から離れたと判定された場合）、制御部４１はステップＳ３０で、タッチパネル専用領域Ｂに設けられたいずれかの区画に対して行われる前回のスタイラスペン２３によるタッチが「有り」に設定されるか否かを判定することで、すでにスタイラスペン２３によるタッチパネル専用領域Ｂへの前回のタッチ入力があるか否かを判定する。ステップＳ３０において制御部４１が、スタイラスペン２３によるタッチパネル専用領域Ｂへの前回のタッチ入力がないと判定した場合、制御部４１はユーザによるスタイラスペン２３を用いたタッチが行われていないと認識し、処理はステップＳ２１に戻り、ステップＳ２１以降の初期設定処理が実行される。
【００６９】
一方、ステップＳ３０において制御部４１が、スタイラスペン２３によるタッチ入力があると判定した場合、制御部４１はステップＳ３１で、タッチパネル専用領域Ｂに設けられたいずれかの区画を越境したか否かを示す越境履歴が「有り」に設定されているか否かを判定する。これにより、例えば図７に示されるように、ユーザによりスタイラスペン２３が下方に移動されることで、スタイラスペン２３の位置が位置α（ｘ１、ｙ１）から位置β（ｘ２、ｙ２）を経由して位置δ（ｘ４、ｙ４）に移動した後、スタイラスペン２３がタッチパネル専用領域Ｂから離されたのか、あるいは、スタイラスペン２３の位置が位置α（ｘ１、ｙ１）から位置β（ｘ２、ｙ２）を移動し、区画Ａ内にてスタイラスペン２３がタッチパネル専用領域Ｂから離されたのかを判定することができる。
【００７０】
ステップＳ３１において制御部４１が、タッチパネル専用領域Ｂに設けられたいずれかの区画を越境したか否かを示す越境履歴が「有り」に設定されていないと判定した場合（すなわち、タッチパネル専用領域Ｂに設けられたいずれかの区画を越境したか否かを示す越境履歴が「無し」に設定されていると判定した場合）、制御部４１はステップＳ３２で、記憶部４２に記憶されている区画Ａに割り当てられたアプリケーションを読み出し、区画Ａに割り当てられたアプリケーション（例えばメールに関するアプリケーション）をアプリ通常モードにて起動する。そして、アプリケーションの起動方法は、通常モードで起動され、例えばアプリケーションがメールに関するアプリケーションである場合、メールの受信ボックスや送信済みボックス、新規作成などのコマンドアイコンが表示される最上位の階層の表示画面がメインディスプレイ１７に表示される。
【００７１】
一方、ステップＳ３１において制御部４１が、タッチパネル専用領域Ｂに設けられたいずれかの区画を越境したか否かを示す越境履歴が「有り」に設定されていると判定した場合、制御部４１はステップＳ３３で、スタイラスペン操作無視フラグが「ＯＮ」に設定されているか否かを判定する。ステップＳ３３において制御部４１が、スタイラスペン操作無視フラグが「ＯＦＦ」に設定されていると判定した場合、制御部４１はスタイラスペン操作が無視されずに有効なものとして認識し、ステップＳ３４で区画Ａに割り当てられたアプリケーション（例えばメールに関するアプリケーション）をアプリ特殊モードにて起動する。
【００７２】
具体的には、例えばアプリケーションがメールに関するアプリケーションである場合、メールのダウンロードが開始され、メールサーバ（図示せず）から新たなメールの受信が開始される。また、例えばアプリケーションがカメラに関するアプリケーションである場合、ＣＣＤカメラ２０が制御され、動画像撮影モードで起動される。さらに、例えばアプリケーションが電話に関するアプリケーションである場合、例えばテレビ電話モードにて起動される。また、例えばアプリケーションがテレビに関するアプリケーションである場合、地上波ディジタルワンセグ受信部４８や地デジ処理部４９が制御され、全チャネルの映像サムネイルやＥＰＧ画面がメインディスプレイ１７に表示される。勿論、このような場合に限られない。
【００７３】
一方、ステップＳ３３において制御部４１が、スタイラスペン操作無視フラグが「ＯＮ」に設定されていると判定した場合、ステップＳ３４の処理はスキップされる。これにより、スタイラスペン操作が無視され、区画Ａに割り当てられたアプリケーションは起動されない。その後、処理はステップＳ２１に戻り、ステップＳ２１以降の処理が繰り返し実行される。
【００７４】
本発明の実施形態においては、メインディスプレイ１７は、画像情報に基づく画像を表示し、画像を表示する表示領域に重ねられて設けられるとともに、表示領域以外の専用領域に設けられたタッチパネル２２と、専用領域に設けられたタッチパネル２２には、専用領域に設けられたタッチパネル２２に接触する物体（例えばスタイラスペン２３やユーザの指など）の位置を示す座標に基づいて複数の区画が予め割り当てられており、物体の位置を示す座標に基づいて、タッチパネル２２のいずれかの区画に物体が接触した後、物体の位置が接触開始時における区画と同一の区画にある間に物体がタッチパネル２２から離れたか、あるいは、物体の位置が接触開始時における区画と同一の区画外に移動した後に物体が前記タッチパネルから離れたか否かを判定し、判定結果に応じて、物体が接触開始時に接触した区画に予め割り当てられるアプリケーションを起動することができる。
【００７５】
これにより、タッチパネル２２を備えた携帯端末１において、ポインティングデバイスによってタッチパネル専用領域の区画を操作することで、アプリケーションの起動の仕方を異ならしめることができ、ユーザの好みに応じて起動時に変化をつけることができる。従って、タッチパネルの操作時における操作性を好適に向上させることができる。
【００７６】
なお、図６のフローチャートを参照して説明したアプリケーション起動処理においては、スタイラスペン２３のタッチパネル２２からの離れ方に応じて、アプリ通常モードかアプリ特殊モードかの２種類のモードでアプリケーションを起動するようにしたが、例えばスタイラスペン２３のタッチパネル２３から離れるまでの時間を考慮して、３種類以上の異なるモードでアプリケーションを起動するようにしてもよい。この方法を用いたアプリケーション起動処理は、図８のフローチャートに示される。なお、図８の処理については図６の処理と基本的には同様であり、その説明は繰り返しになるので適宜省略する。
【００７７】
ステップＳ４５において、制御部４１は、時計回路４７を用いて、スタイラスペン２３によるタッチパネル専用領域Ｂへのタッチ（接触）開始からの経過時間の計時を開始する。ステップＳ５５において、制御部４１は、スタイラスペン操作が無視されずに有効なものとして認識し、タッチ開始から離れるまでの時間に応じて、区画Ａに割り当てられたアプリケーション（例えばメールに関するアプリケーション）をアプリ特殊モードにて起動する。例えばアプリケーションがメールに関するアプリケーションである場合、タッチ開始から話されるまでの時間が所定の時間よりも長いときには、メールのダウンロードが開始され、メールサーバ（図示せず）から新たなメールの受信が開始される一方、タッチ開始から話されるまでの時間が所定の時間よりも短いときには、新規のメールの作成画面が表示される。これにより、タッチパネル２２を備えた携帯端末１において、ポインティングデバイスによってタッチパネル専用領域の区画を操作することで、アプリケーションの起動の仕方をより多くの種類で異ならしめることができ、ユーザの好みに応じて起動時により多く変化をつけることができる。従って、タッチパネルの操作時における操作性をより好適に向上させることができる。
【００７８】
なお、本発明は、携帯端末１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００７９】
また、本発明の実施形態において説明した一連の処理は、ソフトウェアにより実行させることもできるが、ハードウェアにより実行させることもできる。
【００８０】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００８１】
【図１】本発明に係る情報処理装置に適用可能な携帯端末の外観の構成を示す図。
【図２】メインディスプレイおよびタッチパネル専用領域ＡおよびＢの拡大図。
【図３】本発明に係る情報処理装置に適用可能な携帯端末の内部の構成を示すブロック図。
【図４】図３の携帯端末におけるスクロール制御処理を説明するフローチャート。
【図５】表示画面のスクロール時におけるスタイラスペンのタッチパネル上での移動軌跡を示す図。
【図６】図３の携帯端末におけるアプリケーション起動処理を説明するフローチャート。
【図７】表示画面のアプリケーション起動時におけるスタイラスペンのタッチパネル上での移動軌跡を示す図。
【図８】図３の携帯端末における他のアプリケーション起動処理を説明するフローチャート。
【符号の説明】
【００８２】
１…携帯端末、１１…ヒンジ部、１２…第１の筐体、１３…第２の筐体、１４…操作キー、１５…マイクロフォン、１６…サイドキー、１７…メインディスプレイ、１８…レシーバ、１９ａ乃至１９ｂ…磁気センサ、２０…ＣＣＤカメラ、２１…サブディスプレイ、２２…タッチパネル、２３…スタイラスペン、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部、４９…地デジ処理部、５０…スピーカ、５１…タッチ入力制御部。
【図１】
0005098836.tif 000002
【図２】
0005098836.tif 000003
【図３】
0005098836.tif 000004
【図４】
0005098836.tif 000005
【図５】
0005098836.tif 000006
【図６】
0005098836.tif 000007
【図７】
0005098836.tif 000008
【図８】
0005098836.tif 000009